(57)【特許請求の範囲】
【請求項１】
器具を固定するための器具固定部を有する固定具本体を備え、壁材に形成された壁穴に、壁表から挿入されて当該壁材に取付けられる器具固定具であって、
前記固定具本体には、壁表に当接する挟持鍔部と、当該挟持鍔部と協働して当該固定具本体を壁材に取付けるために、当該壁材に対して進退可能となって壁裏に配置される挟持片と、前記固定具本体に進退しない状態で回転可能に支持されて、前記挟持片の基端部と螺合しているビスと、当該ビスに基端部が螺合された挟持片の進退案内を行う案内部とを備え、
前記挟持片は、前記ビスの回転により共回りして、壁穴に対する固定具本体の挿入に邪魔にならない非挟持位置と、壁材を挟持可能な挟持位置との間においてビスに対して回動可能であると共に、前記ビスの回転により壁材に対して進退可能な構成であり、
前記案内部は、前記挟持片がビスに対して回動して、壁材を挟持可能な通常の挟持位置で当該挟持片を当接させる第１当接部と、前記挟持片が当該第１当接部に当接した状態で当該挟持片の進退を案内する第１案内路とを備え、
前記第１当接部は、除去可能に形成され、
前記第１当接部の除去により、前記挟持片は、前記挟持位置を超えて、当該挟持位置とは別の挟持位置まで回動して当接する第２当接部と、当該第２当接部に挟持片が当接した状態で、当該挟持片の進退案内を行う第２案内路が形成されることを特徴とする器具固定具。
【請求項２】
前記器具固定具は、配線ボックスであり、底壁と当該底壁から立設する側壁とを備え、前面に開口する開口部を有する有底四角箱状に形成されたボックス本体を備え、
前記案内部は、前記ボックス本体の角部に形成され、
前記挟持片は、前記ボックス本体に収容された収容位置から、側壁から突出した挟持位置まで回動可能になっていて、前記第１当接部の除去により、前記側壁に隣接する別の側壁から突出する構成であることを特徴とする請求項１に記載の器具固定具。
【請求項３】
前記角部を構成する水平の側壁には、当該側壁よりも薄肉の連結部が連続して設けられていて、前記第１当接部は、当該連結部により除去可能なノックアウト部になっていることを特徴とする請求項２に記載の器具固定具。
【発明の詳細な説明】
【技術分野】
【０００１】
本発明は、壁材に形成された壁穴に壁表から挿入されて、当該壁材に取付けられる器具固定具に関するものである。
【背景技術】
【０００２】
上記構成の器具固定具の一種である配線ボックスとして、特許文献１に開示のものが知られている。この配線ボックスは、ボックス本体に対して進退することなく回転可能に支持されたビスの回転により、壁材の裏面の側に引き寄せられる挟持片を備え、当該挟持片と、ボックス本体の前面開口の側に設けられた挟持鍔部との間で壁材を表裏から挟持することで、当該壁材にボックス本体を取付けている。
【０００３】
壁材の壁穴から壁裏にボックス本体を挿入する際には、前記挟持片は、ボックス本体内に収容されていて、ビスの回動により、所定角度だけ当該ビスと共回りすることで、ボックス本体外に突出する構成となっている。
【０００４】
従って、前記挟持片がボックス本体外に突出する位置に、電線管、間柱、壁内の桟等の障害物が存在している場合には、前記挟持片は、障害物と干渉して、壁材の裏面側に引き寄せることができず、ボックス本体の当該部分を壁材に固定できなくなる。
【先行技術文献】
【特許文献】
【０００５】
【特許文献１】特開２００６−６０８８８号公報
【発明の概要】
【発明が解決しようとする課題】
【０００６】
本発明は、壁材に固定具本体を取付けるための挟持片の突出位置に障害物が存在している場合においても、当該挟持片の突出位置をずらすことで、壁材に対する固定具本体の取付けを可能にすることを課題としている。
【課題を解決するための手段】
【０００７】
上記課題を解決するための請求項１の発明は、器具を固定するための器具固定部を有する固定具本体を備え、壁材に形成された壁穴に、壁表から挿入されて当該壁材に取付けられる器具固定具であって、前記固定具本体には、壁表に当接する挟持鍔部と、当該挟持鍔部と協働して当該固定具本体を壁材に取付けるために、当該壁材に対して進退可能となって壁裏に配置される挟持片と、前記固定具本体に進退しない状態で回転可能に支持されて、前記挟持片の基端部と螺合しているビスと、当該ビスに基端部が螺合された挟持片の進退案内を行う案内部とを備え、前記挟持片は、前記ビスの回転により共回りして、壁穴に対する固定具本体の挿入に邪魔にならない非挟持位置と、壁材を挟持可能な挟持位置との間においてビスに対して回動可能であると共に、前記ビスの回転により壁材に対して進退可能な構成であり、前記案内部は、前記挟持片がビスに対して回動して、壁材を挟持可能な通常の挟持位置で当該挟持片を当接させる第１当接部と、前記挟持片が当該第１当接部に当接した状態で当該挟持片の進退を案内する第１案内路とを備え、前記第１当接部は、除去可能に形成され、前記第１当接部の除去により、前記挟持片は、前記挟持位置を超えて、当該挟持位置とは別の挟持位置まで回動して当接する第２当接部と、当該第２当接部に挟持片が当接した状態で、当該挟持片の進退案内を行う第２案内路が形成されることを特徴としている。
【０００８】
請求項１の発明によれば、基端部がビスに螺合された挟持片の通常の挟持位置に、電線管、壁内の桟等の障害物が存在する場合には、固定具本体の第１当接部を除去することで、壁裏に配置される挟持片の挟持位置は、前記障害物と干渉しない別の挟持位置に変更される。これにより、挟持片を固定具本体内の非挟持位置に配置した状態で、壁材の壁穴に固定具本体を挿入することで、当該固定具本体の挟持鍔部を壁材の壁表に当接させ、この状態で、ビスを回転させると、回転当初において、固定具本体の非挟持位置に配置されていた挟持片は、所定角度だけ当該ビスと共回りして、固定具本体の第２当接部に当接するまで回動されることで、通常の挟持位置と異なっていて、前記障害物と干渉しない別の挟持位置に配置される。
【０００９】
この状態で、ビスを回転させると、挟持片は、第２当接部に当接したまま、第２案内路に案内されて、壁裏に当接するまで進み、この状態で、ビスを強く締め付けると、壁表の挟持鍔部と壁内の挟持片とで壁材が挟持されて、固定具本体の挟持片が配置されている部分が、当該壁材に固定される。なお、挟持片が第１当接部に当接した通常の挟持位置に配置された状態で、障害物がない場合には、ビスの回転により、第１案内路により案内される挟持片を壁裏まで移動させて、挟持鍔部と挟持片とで壁材を通常の挟持位置で挟持させる。
【００１０】
このように、請求項１の発明によれば、挟持片の通常の挟持位置に障害物が配置されている場合には、第１当接部の除去により、当該挟持片の挟持位置を、障害物と干渉しない別の挟持位置に変更できるので、壁内の障害物の有無にかかわらず、器具固定具を壁材の設定位置にしっかりと取付けられる。
【００１１】
請求項２の発明は、請求項１の発明において、前記器具固定具は、配線ボックスであり、底壁と当該底壁から立設する側壁とを備え、前面に開口する開口部を有する有底四角箱状に形成されたボックス本体を備え、前記案内部は、前記ボックス本体の角部に形成され、前記挟持片は、前記ボックス本体に収容された収容位置から、側壁から突出した挟持位置まで回動可能になっていて、前記第１当接部の除去により、前記側壁に隣接する別の側壁から突出する構成であることを特徴としている。
【００１２】
請求項２の発明は、器具固定具が有底四角箱状の配線ボックスの場合であって、通常の挟持位置では、挟持片は、ボックス本体の側壁から突出するが、当該側壁の近傍に障害物が存在する場合には、前記第１当接部の除去により、挟持片は、ボックス本体の前記側壁に隣接する別の側壁から突出して、前記障害物と干渉することなく、挟持鍔部と挟持片との挟持により、ボックス本体を壁材にしっかりと取付けられる。
【００１３】
請求項３の発明は、請求項２の発明において、前記角部を構成する水平の側壁には、当該側壁よりも薄肉の連結部が連続して設けられていて、前記第１当接部は、当該連結部により除去可能なノックアウト部になっていることを特徴としている。
【００１４】
請求項１の発明においては、第１当接部は、固定具本体の近傍に障害物が存在していて、当該障害物と、挟持位置の挟持片とが干渉する場合においてのみ除去可能なノックアウト部となっているので、挟持片が通常の挟持位置に配置される場合には、第１当接部は除去することなく、そのまま存置させる。請求項３の発明では、第１当接部を存置させて使用する場合でも、第１当接部を除去するために水平の側壁に設けられた連結部は、他の部分よりも薄肉となっているが、連続して設けられているため、ボックス本体の角部の強度の低下は殆どなく、ほぼ従来構造の強度を維持できる。
【発明の効果】
【００１５】
本発明によれば、挟持片の通常の挟持位置に障害物が配置されている場合には、当該挟持片を通常の挟持位置に配置させる第１当接部を除去することで、当該挟持片の挟持位置を、障害物と干渉しない別の挟持位置に変更できるので、壁内の障害物の有無にかかわらず、器具固定具を壁材にしっかりと取付けられる。
【図面の簡単な説明】
【００１６】
【図１】本発明に係る配線ボックスＢ1 が電線管８４との干渉を回避して壁材Ｗに取付けられた状態の斜視図である。
【図２】本発明に係る配線ボックスＢ1 の斜視図である。
【図３】本発明に係る配線ボックスＢ1 の切除部である下横側壁３及び上横側壁４の各当接板部３ａ，４ａが切除されて、挟持片Ａ1 が通常の挟持位置とは別の挟持位置に配置された状態の斜視図である。
【図４】本発明に係る配線ボックスＢ1 の正面図である。
【図５】本発明に係る配線ボックスＢ1 が壁材Ｗに取付けられた状態における図４のＸ−Ｘ線矢視断面図である。
【図６】（ａ）は、挟持片Ａ1 が通常の挟持位置に配置されている状態の配線ボックスＢ1 の部分側面図であり、（ｂ）及び（ｃ）は、それぞれ（ａ）のＹ1 −Ｙ1 線及びＹ2 −Ｙ2 線の断面図である。
【図７】（ａ）は、各当接板部３ａ，４ａが切除されて、通常の挟持位置とは別の挟持位置に挟持片Ａ1 が配置されている状態の配線ボックスＢ1 の部分側面図であり、（ｂ）及び（ｃ）は、それぞれ（ａ）のＺ1 −Ｚ1 線及びＺ2 −Ｚ2 線の断面図である。
【図８】本発明に係る別の配線ボックスＢ2 の斜視図である。
【図９】同じく正面図である。
【図１０】配線器具Ｃが取付けられた本発明に係る配線用枠体Ｆを壁穴８６に挿入する前の斜視図である。
【図１１】配線器具Ｃが取付けられた本発明に係る配線用枠体Ｆが壁材Ｗに取付けられた状態の一部を破断した斜視図である。
【図１２】同様の状態の上方の挟持部を背面側から見た斜視図である。
【図１３】配線用枠体Ｆの上部の背面図である。
【発明を実施するための形態】
【００１７】
以下、複数の最良の実施例を挙げて、本発明について更に詳細に説明する。
【実施例１】
【００１８】
図１〜図５において、実施例１の配線ボックスＢ1 は、１つの配線器具を取付けるための「１個用」であって、樹脂の射出成形により形成され、縦長の長方形状の底壁１の周縁に周壁２が立設された有底四角箱状をしたボックス本体１０を備え、前記周壁２は、上下方向に対向する下横側壁３及び上横側壁４と、左右方向に対向する一対の縦側壁５とで形成されて、前面に方形状のボックス開口６が形成されている。底壁１には、ボックス本体１０内に電線８１を引き込むための円形穴７（図１及び図５参照）を形成するための上下一対の円形ノックアウト部８が設けられ、当該円形ノックアウト部８は、図２〜図４に示されるように、周方向に沿って位相が１８０°異なる部分に、一対の薄肉の連結部９が対向して設けられ、円形ノックアウト部８に大きな打撃力を加えることで、前記一対の連結部９が破断されて、当該円形ノックアウト部８が除去（ノックアウト）されて、前記円形穴７が形成される。
【００１９】
上下の各横側壁３，４の幅方向の中央部の内側には、ビスを介して配線器具（いずれも図示せず）を取付けるための一対のボス部１１が対向して設けられ、一対の縦側壁５のボックス開口６に臨む前端面における上下端部を除く部分には、それぞれフランジ板状をした狭幅の挟持鍔部１２が外側に向けて前記底壁１と平行に突設されることで、当該挟持鍔部１２は、上下方向に配置されている。挟持鍔部１２の長さ方向（上下方向）の中央部には、切欠き部１２ａが形成されている。
【００２０】
ボックス本体１０は、一方の対角線方向に沿って対向する各角部（コーナー部）に配置された一対の挟持片Ａ1 と、自身のボックス開口６の両側に設けられた左右一対の挟持鍔部１２とで、壁材Ｗを表裏から挟持することで、当該壁材Ｗに取付けられる。配線ボックスＢ1 は、「１個用」であるために、ボックス本体１０の全ての角部に挟持片Ａ1 を配置しなくても、必要な取付け力が得られる。ボックス本体１０の一方の対角線方向に沿って対向する各角部には、ボックス本体１０が壁材Ｗの壁穴８２に挿入された状態で、挟持片Ａ1 を壁材Ｗの裏面に対して進退移動させる際に、当該進退移動を可能とさせる中空状の第１案内路Ｇ1 が形成されている。即ち、図２及び図６に示されるように、第１案内路Ｇ1 は、ボックス本体１０の内部に入り込んだ形態で、横断面がわん曲Ｌ字状をしていて、縦側壁５と下横側壁３又は上横側壁４とを接続する案内壁部１３と、下横側壁３又は上横側壁４の角部を形成する部分とで形成されて、側方にのみ開口した中空状の部分であって、ボックス本体１０に対しては奥行方向（深さ方向）に形成されている。下横側壁３又は上横側壁４の角部を形成する部分は、後述の皿ビスＤ1 の回転により、挟持片Ａ1 を共回りさせて、その基端支持板部２１の端面を当接させることで、当該挟持片Ａ1 が横方向に配置された通常の挟持位置を定めるための当接板部３ａ（４ａ）となっている。前記各当接板部３ａ（４ａ）は、挟持片Ａ1 の通常の挟持位置を定めるための「第１当接部」となっている。ここで、挟持片Ａ1 の進退移動を可能とする第１案内路Ｇ1 と、当該挟持片Ａ1 の共回りの位置を規制する当接板部３ａ（４ａ）とで、請求項１で特定される「案内部」が形成され、当該「案内部」は、皿ビスＤ1 の回転により、当該皿ビスＤ1 に螺合された挟持片Ａ1 の共回りを防止した状態で、当該挟持片Ａ1 を壁材Ｗに対して進退移動可能とする機能を果す。
【００２１】
ボックス本体１０の対角線方向に沿って対向する各角部に、当該ボックス本体１０の奥行方向に沿って前記第１案内路Ｇ1 を形成することで、前記各角部は、ボス状に形成され、当該ボス状部１４には、皿ビスＤ1 の皿状の頭部Ｄ1aを挿入配置させるための円錐穴部１５（図５参照）が形成されて、当該円錐穴部１５に頭部Ｄ1aが挿入配置された状態で、皿ビスＤ1 は、前記ボス状部１４と底壁１とで回転可能に両端支持されている。皿ビスＤ1 の先端部は、底壁１を貫通していて、当該皿ビスＤ1 の前記両端支持により、当該皿ビスＤ1 は、ボックス本体１０に対して奥方には移動不能であるが、手前側には、引抜き可能な状態で両端支持されている。
【００２２】
挟持片Ａ1 は、金属板を折曲げ加工したものであって、横配置姿勢で前記第１案内路Ｇ1 に挿入配置可能な基端支持板部２１に挟持板部２２が折り曲げ状態で一体に設けられた形状であって、前記皿ビスＤ1 に基端支持板部２１が螺合されることで支持され、基端支持板部２１の幅は、前記第１案内路Ｇ1 の高さ方向の寸法よりも僅かに小さくなっていて、螺合部を基準にして挟持板部２２と反対側の部分は、第１案内路Ｇ1 内において回動可能なように半円板状に形成されている。挟持板部２２は、壁材Ｗの壁裏に押付け状態で当接する部分であって、挟持片Ａ1 が横方向に配置された状態で、挟持板部２２の下端縁は、基端支持板部２１と直線的に接続されているが、上方に配置される部分の端縁は、全体が基端支持板部２１よりも幅広となるように傾斜している。基端支持板部２１は、皿ビスＤ1 の軸心に対して直交しているが、挟持板部２２は、壁材Ｗの壁裏に対して押付け状態で当接し易いように、皿ビスＤ1 の軸心に対して僅かに非直角となっている。即ち、挟持板部２２は、基端支持板部２１に対して、僅かに壁裏側に向けて傾斜しており、挟持板部２２における壁裏に当接する面には、複数の小突起２２ａが設けられている。
【００２３】
ボックス本体１０を壁材Ｗに取付ける際、及び取付けられた状態では、前記挟持片Ａ1 は、ボックス本体１０の挟持鍔部１２と協働して壁材Ｗを挟持することで、当該壁材Ｗにボックス本体１０を取付け可能にするために、ボックス本体１０から外方に突出していることが必要であるが、当該挟持片Ａ1 は、壁材Ｗの壁表から壁穴８２にボックス本体１０を挿入する際には、前記挟持片Ａ1 は、ボックス本体１０内に収納されて、非挟持位置に配置させる必要がある。このため、図６（ｂ）及び図７（ｂ）に示されるように、皿ビスＤ1 の軸心を中心にして、挟持片Ａ1 がボックス本体１０内に回動して収納可能なように、当該挟持片Ａ1 の当該回動を阻害する部分、即ち、第１案内路Ｇ1 を形成する最奥部の案内壁部１３の水平部及びわん曲部、並びに前記第１案内路Ｇ1 の側面開口３１と連続するボックス本体１０の縦側壁５を欠落させて、挟持片収納開口３２を形成している。
【００２４】
そして、皿ビスＤ1 の回転により、各挟持片Ａ1 は、ボックス本体１０の最も奥側において、挟持片収納開口３２を通してボックス本体１０内に収納されることで、非挟持位置に配置されている。この状態で、壁材Ｗに対してボックス本体１０を取付けるには、壁材Ｗの壁表から壁穴８２にボックス本体１０を挿入すると、ボックス開口６の両側の各挟持鍔部１２が、壁表における壁穴８２の臨む部分に当接し、この状態で、皿ビスＤ1 の頭部Ｄ1aにドライバー８３の先端部を係合させて、当該皿ビスＤ1 を所定方向（皿ビスＤ1 が右ねじの場合には、時計方向）に回転させると、図６に示されるように、皿ビスＤ1 の回転当初において、挟持片Ａ1 は、当接板部３ａ（４ａ）に当接するまで、ほぼ９０°だけ皿ビスＤ1 と共回りして、ボックス本体１０から外側に突出して、ほぼ水平に配置される。以後は、挟持片Ａ1 が当接板部３ａ（４ａ）に当接することで、回動不能な状態で、皿ビスＤ1 を更に同方向に回転させると、挟持片Ａ1 は、当接板部３ａ（４ａ）に当接したまま、ボックス開口６の側に移動させられて、その挟持板部２２が壁材Ｗの裏面に当接する。この状態で、皿ビスＤ1 を更に強く締め付けると、図５で左半分に示されるように、ボックス本体１０は、対角線方向に沿って対向する各角部の部分において、壁表の挟持鍔部１２と壁裏の挟持片Ａ1 とで壁材Ｗを挟持することで、当該壁材Ｗに取付けられる。なお、挟持片Ａ1 が皿ビスＤ1 と共回りし易いように、皿ビスＤ1 の先端部（ボックス本体１０の底壁１に近い部分）のねじ山の一部は軽く潰されている。
【００２５】
ここで、壁内には、電線管８４、間柱、間柱の間に配置された桟部材（いずれも図示せず）等が配置されており、これらの各部材が壁内に配置されたボックス本体１０の縦側壁５の近傍に存在している場合には、これらの部材は、ボックス本体１０から横方向に突出した挟持片Ａ1 の進退移動に対しては「障害物」となって、挟持片Ａ1 を壁材Ｗの側に引き寄せられない。この結果、一対の挟持片Ａ1 の一方の部分に障害物が存在する場合には、壁材Ｗに対してボックス本体１０は、片固定の状態で取付けられ、不安定な状態となる。なお、一対の挟持片Ａ1 の双方の近傍に障害物が存在する場合には、壁材Ｗに対するボックス本体１０の取付けはできない。
【００２６】
そこで、本発明は、ボックス本体１０の下横側壁３又は上横側壁４から当接板部３ａ（４ａ）を除去することで、ボックス本体１０に挟持片Ａ1 が収容されている姿勢を基準にして、当該挟持片Ａ1 をほぼ半回転させて、ボックス本体１０の下横側壁３の下方、又は上横側壁４の上方に突出させることで、即ち、壁材Ｗの裏面側の挟持位置を変更させることで、障害物である電線管８４との干渉を回避させている。
【００２７】
即ち、図２及び図６に示されるように、ボックス本体１０の角部を形成する下横側壁３の下面には、第１案内路Ｇ1 の底部の全体が除去可能なように、底面視で全体形状がコの字形であって、しかも断面視で直角三角形状をした浅い折取り溝３３が形成されている。当該折取り溝３３の部分で下横側壁３の当接板部３ａを折り取ると、図７に示されるように、第１案内路Ｇ1 に底面開口３４が形成されて、ボックス本体１０に挟持片Ａ1 が収納された姿勢を基準にして、当該挟持片Ａ1 は、皿ビスＤ1 によりほぼ半回転だけ共回りして当接する第２当接部３５が折取り面に形成される。前記第１案内路Ｇ1 の下方に接続する底面開口３４の部分は、ボックス本体１０に対して下方に突出した姿勢の挟持片Ａ1 の移動案内を行う第２案内路Ｇ2 となる。断面視で直角三角形状をした折取り溝３３は、斜辺ではない残りの２辺の一方が、下横側壁３又は上横側壁４に垂直となるように形成されているため、当該折取り溝３３の部分で、当接板部３ａ（４ａ）を折り取って除去すると、第２当接部３５を形成する折取り面は、下横側壁３又は上横側壁４の板面に対して垂直に形成される。なお、当接板部３ａ（４ａ）の折り取りは、図２に示されるように、当該当接板部３ａ（４ａ）をペンチ等の工具３６で掴んで、強く捩じることで行う。
【００２８】
全く同様にして、ボックス本体１０の対角線方向に沿って対向する別の第１案内路Ｇ1 の部分においては、上横側壁４における第１案内路Ｇ1 の天井部の全体が除去可能なように、全体形状がコの字形の折取り溝３３が上面に形成されて、当該折取り溝３３の部分で、上横側壁４の当接板部４ａを除去すると、図３に示されるように、第１案内路Ｇ1 の上面開口３７が形成されて、ボックス本体１０に収納された姿勢を基準にして、挟持片Ａ1 を上方に向けてほぼ半回転だけ共回り可能な第２当接部３５が折取り面に形成される。
【００２９】
これにより、下方の挟持片Ａ1 は、皿ビスＤ1 の回転により、ほぼ半回転だけ共回りして、下横側壁３から突出した下方を向いた姿勢となることで、障害物である電線管８４との干渉を回避して、壁材Ｗの裏面に当接するまで、引き寄せられる。ボックス本体１０の下方の２つの角部の一方は、自身の挟持鍔部１２と前記挟持片Ａ1 とで、壁材Ｗを挟持することで、当該壁材Ｗに固定される。一方、当該角部と対角線方向に沿って対向する上方の角部は、挟持片Ａ1 が横方向に突出した通常の挟持位置において、同様にして壁材Ｗに固定される。これにより、ボックス本体１０は、その一方の縦側壁５に近接して配置された障害物である電線管８４との干渉を回避して、壁材Ｗに取付けられる。なお、図１及び図５において、８５は、電線管８４に収容された電線を示し、図２〜図４において、３ａ’，４ａ’は、それぞれ下横側壁３の当接板部３ａ及び上横側壁４の当接板部４ａを折り取った折取り片を示す。
【００３０】
また、当接板部３ａ（４ａ）をノックアウト構造とするための折取り溝３３は、浅い溝であって、しかも、除去予定部である下横側壁３の当接板部３ａ及び上横側壁４の当接板部４ａは、いずれも折取り溝３３の全長に亘って、連結部３８（図６参照）を介して下横側壁３及び上横側壁４の残りの部分と接続されているため、当接板部３ａ（４ａ）が残存した状態におけるボックス本体１０の角部の強度の低下は殆どない。この点において、ボックス本体１０の底壁１に形成された円形ノックアウト部８は、存置時における大きな連結強度は必要ないために、連結部９を介してのみ底壁１と連結されている連結構造が異なる。
【実施例２】
【００３１】
引き続いて、実施例２の配線ボックスＢ2 について説明する。図８及び図９に示される配線ボックスＢ2 は、２個の配線器具を横方向に並列して取付け可能な「２個用」であって、計４箇所の各角部に、第１案内路Ｇ1 と、折取り可能なノックアウト部として機能している当接板部３'a（４'a）とから成る「案内部」が設けられて、計４つの各「案内部」の全てに挟持片Ａ1 が配置されている構成が、前記配線ボックスＢ1 と異なり、当該配線ボックスＢ1 と同一又は同等の部分には、同一符号、又は同一符号に「’」を付して、図示のみ行う。各角部の全てに挟持片Ａ1 を配置したのは、「２個用」のボックス本体１０’を壁材Ｗに取付けるのに必要な取付け力を確保するためである。
【００３２】
ボックス本体１０’の周囲に障害物が存在しない場合には、各皿ビスＤ1 の回転により、計４個の各挟持片Ａ1 を、図９で一点鎖線で示されるように、ボックス本体１０’内に収納された状態からほぼ９０°だけ共回りさせて、図９で実線で示されるように、各挟持片Ａ1 を通常の挟持位置に配置させて、ボックス本体１０’の各角部の全てで壁材Ｗを挟持することで、当該壁材Ｗにボックス本体１０’が取付けられる。
【００３３】
ボックス本体１０’の両側方のいずれか一方又は双方に障害物が存在する場合には、図９において、右下角部及び左上角部の「案内部」の各当接板部３'a，４'aの一方又は双方を除去して、当該各角部に配置された１個又は２個の挟持片Ａ1 のみを、図９で二点鎖線で示されるように、皿ビスＤ1 の回転当初において、収納状態からほぼ１８０°だけ共回りさせて、各挟持片Ａ1 を下方又は上方に突出させる。これにより、ボックス本体１０’の側方の障害物との干渉を回避して、ボックス本体１０’の各角部の全てで壁材Ｗを挟持した状態で、壁材Ｗに対してボックス本体１０’が取付けられる。
【００３４】
更に、ボックス本体１０’の上方又は下方に障害物が存在する場合には、左下角部及び右上角部の「案内部」の各当接板部３'a，４'aの一方又は双方を除去することで、ボックス本体１０’の上方又は下方の障害物との干渉を回避して、ボックス本体１０’の各角部の全てで壁材Ｗを挟持した状態で、壁材Ｗに対してボックス本体１０’が取付けられる。
【００３５】
上記したように、有底四角箱状の配線ボックスの角部に本発明を実施すると、別の隣接側壁から挟持片が突出するように、当該挟持片の突出方向を９０°変更させられるために、ボックス本体の周囲に存在する障害物を回避して、当該ボックス本体を壁材に取付けられる利点がある。
【実施例３】
【００３６】
しかし、本発明は、配線ボックスの他に、内部空間に配線器具が固定配置される四角枠状をした配線用枠体に対しても実施可能である。配線用枠体Ｆは、図１０〜図１３に示されるように、上下の２箇所において、平ビスＤ2 の回転により挟持片Ａ2 を壁材Ｗの壁裏面に引き寄せて、壁裏に配置される上下一対の挟持片Ａ2 と、壁表側に配置される前記配線用枠体Ｆの上下端に形成された挟持鍔部４１とで、壁材Ｗを表裏から挟持することで、当該壁材Ｗに取付けられる。
【００３７】
図１０〜図１３において、配線用枠体Ｆは、樹脂の射出成形品であって、四角枠状をなしていて、その四角枠内に配線器具Ｃが背面側に露出した状態で取付けられる。配線用枠体Ｆの上板部４２及び下板部４３の前端部には、それぞれ板状の挟持鍔部４１が上方及び下方に突出した状態で、横方向に沿って一体に形成されている。上板部４２及び下板部４３の背面側には、壁材Ｗに明けられた壁穴８６の上下方向に沿った対向する各内周面に近接して配置される円弧状の位置決め板４４が一体に設けられ、当該位置決め板４４と上板部４２又は下板部４３との間には、長手方向の全長に開口されることで、上面又は下面に開口した欠落円筒状の案内円筒４５が水平となって後方に突出した状態で一体に形成されている。なお、図１０に示されるように、壁穴８６は、２つの円形穴が、その一部を重複させた状態で上下方向に配置された形状である。
【００３８】
挟持片Ａ2 は、配線用枠体Ｆに対して進退可能なように案内円筒４５に嵌合されている。即ち、挟持片Ａ2 は、被案内部４６が前記案内円筒４５に嵌合された状態で、壁材Ｗに引き寄せられる構成であって、円盤状の被案内部４６に連結板部４７を介して挟持板部４８が一体に設けられた構成である。挟持片Ａ2 の被案内部４６が案内円筒４５に嵌合された状態で、配線用枠体Ｆの前面に頭部Ｄ1aが配置された平ビスＤ2 が前記被案内部４６に螺合されているため、当該平ビスＤ2 の回転により、挟持片Ａ2 は、その挟持板部４８が前記案内円筒４５の開口側の一方の端面である第１当接部４９に当接するまで、共回りされ、以後は、共回り不能となって、挟持板部４８が第１当接部４９に当接したままで、壁材Ｗの側に引き寄せられて、壁表側の上下一対の挟持板部４８と、壁裏側の配線用枠体Ｆの上下一対の挟持鍔部４１とによって、壁材Ｗにおける壁穴８６の上下端部に臨む部分が通常の挟持位置で挟持されることで、配線器具Ｃが一体に嵌め込まれた配線用枠体Ｆは、壁材Ｗに取付けられる。
【００３９】
そして、案内円筒４５における第１当接部４９の側の外側面には、断面直角三角形状の折取り溝５１が側面視でＬ字形に形成され、前記案内円筒４５を折取り溝５１の部分において、側面視で横長の長方形状に折り取って、除去することで、その水平方向の折取り面は、平ビスＤ2 の回転により共回りされる挟持片Ａ2 の連結板部４７が当接することで、挟持片Ａ2 が、前記した通常の挟持位置とは異なる挟持位置に配置される第２当接部５２（図１３参照）となる。
【００４０】
よって、実施例３の配線用枠体Ｆにおいても、通常の挟持位置において、壁内側において、上記一対のいずれかの挟持片Ａ2 が障害物と干渉して、壁材Ｗへの引き寄せができない場合には、前記折取り溝５１の部分で、案内円筒４５における第１当接部４９を含む部分を、側面視で方形状に折り取ることで、挟持片Ａ2 が新たな位置で当接する第２当接部５２を形成することができて、前記障害物との干渉を回避できる通常の挟持位置とは別の挟持位置に挟持片Ａ2 を配置可能となる。なお、図１３において、二点鎖線で示される挟持片Ａ2 は、通常の挟持位置に配置されたものである。
【００４１】
この結果、実施例３の配線用枠体Ｆにおいては、挟持片Ａ2 の被案内部４６が移動案内される案内円筒４５と第１当接部４９とで、挟持片Ａ2 の第１案内路Ｇ11が構成されると共に、案内円筒４５と第２当接部５２とで、挟持片Ａ2 の第２案内路Ｇ12が構成される。なお、図１０〜図１３において、５３は、配線用枠体Ｆの側板部を示し、８７は、配線器具Ｃに接続された電線を示す。
【００４２】
上記実施例１〜３は、本発明を有底四角箱状の配線ボックス、或いは方形枠状の配線用枠体に対して実施した例であるが、ビスの回転により挟持片を共回りさせて、非挟持位置から挟持位置に配置させ、その後のビスの連続回転により、挟持位置に配置された挟持片を壁材の側に引き寄せて、当該挟持片と、器具固定具の壁表側に形成された挟持鍔部とで、壁材を挟持することで、当該壁材に固定具本体が取付けられる構成であれば、上記した有底四角箱状の配線ボックス、或いは方形枠状の配線用枠体に限られず、いかなる器具固定具に対しても実施可能である。
【００４３】
なお、上記実施例１〜３においては、ボックス本体１０，１０’又は配線用枠体Ｆの第１当接部３ａ，４ａ，３'a，４'a, ４９から、その第２当接部３５，５２までの各挟持片Ｂ1 ，Ｂ2 の回動角度は、ほぼ９０°であるが、当該回動角度は、９０°に限られず、９０°よりも小さくても、大きくてもよく、例えば４５°，６０°，１２０°等であってもよい。
【符号の説明】
【００４４】
Ａ1 ，Ａ2 ：挟持片
Ｂ1 ，Ｂ2 ：配線ボックス（器具固定具）
Ｄ1 ：皿ビス（ビス）
Ｄ2 ：平ビス（ビス）
Ｆ：配線用枠体（器具固定具）
Ｇ1,Ｇ11：第１案内路（案内部）
Ｇ2,Ｇ12：第２案内路（案内部）
Ｗ：壁材
１，１’：底壁
３，３’：下横側壁
３ａ，４ａ，３'a, ４'a：当接板部（第１当接部）
４，４’：上横側壁
５：縦側壁
６：ボックス開口
１０，１０’：ボックス本体（固定具本体）
１１：ボス部（器具固定部）
１２，４１：挟持鍔部
１３：案内壁部
３３，５１：折取り溝
３５，５２：第２当接部（折取り面）
３８：当接板部の連結部
４５：案内円筒
４９：第１当接部
８２，８６：壁穴
【図１】
0006426055.tif 000002
【図２】
0006426055.tif 000003
【図３】
0006426055.tif 000004
【図４】
0006426055.tif 000005
【図５】
0006426055.tif 000006
【図６】
0006426055.tif 000007
【図７】
0006426055.tif 000008
【図８】
0006426055.tif 000009
【図９】
0006426055.tif 000010
【図１０】
0006426055.tif 000011
【図１１】
0006426055.tif 000012
【図１２】
0006426055.tif 000013
【図１３】
0006426055.tif 000014